(57)【要約】【課題】万一開閉弁の下流で漏水事故が起こった場合でも即座に開閉弁を閉止することができ、また開閉弁が開成しているときにはフィルタの蓋を外されないように配慮した止水栓装置を提供する。【解決手段】開閉弁３は、レバーハンドル２のレバー部を水の流れる方向（図１の上方向）に向けると開成し、水の流れる方向から時計廻りに約９０度回転させた方向（図１の右方向）に向けると閉止する。開閉弁３とフィルタ６はできる限り接近させて、開閉弁３を開成した状態にしたときレバーハンドル２のレバー部とフィルタ６の蓋５とが少なくとも一部は重なり合うようにしてある。【選択図】　図１
2004003162.tif 000002
【特許請求の範囲】
【請求項１】
通路を開閉する開閉弁と、前記開閉弁を操作するレバーハンドルと、下流への塵の流れ込みを防止するフィルタとを備えた止水栓装置において、前記開閉弁が開成しているときは前記レバーハンドルのレバー部が水の流れる方向に向くようにしたことを特徴とする止水栓装置。
【請求項２】
通路を開閉する開閉弁と、前記開閉弁を操作するレバーハンドルと、下流への塵の流れ込みを防止するフィルタとを備えた止水栓装置において、前記開閉弁が開成しているときは前記レバーハンドルのレバー部と前記フィルタの蓋とが少なくとも一部は重なり合うようにしたことを特徴とする止水栓装置。
【発明の詳細な説明】
【０００１】
【発明の属する技術分野】
本発明は、洗面所やトイレなどへの給水、止水を行う止水栓装置に関するものである。
【０００２】
【従来の技術】
フィルタを備えた従来の止水栓装置は、例えば図２に示すように蓋１０６に装着された円筒状のフィルタ１０６を開閉弁１０３の軸を包むように配置し、本体１０１と螺合された蓋１０５は開閉弁１０３の軸と同軸上にあり、フィルタ１０６の取外し操作時および開閉弁１０３の開閉操作時には蓋１０５と開閉弁１０３の軸は独立して回転する。
【０００３】
また、フィルタ１０６の取外し操作および開閉弁１０３の開閉操作は蓋１０５および開閉弁１０３の軸に溝などを設けてドライバーや専用工具などの工具によって行うようにしてある。
【０００４】
【発明が解決しようとする課題】
しかしながら上記した従来の構成では、万一開閉弁の下流で漏水事故が起こった場合、開閉弁１０３を閉止しようとしてもドライバーや専用工具などを探す間に浸水被害が広がり、周辺の床や壁の破損だけでなく、事故が階上で起こった場合には階下にも被害をおよぼすことになる。
【０００５】
また、塵詰りによりフィルタ１０６を掃除する際、必ずしも開閉弁１０３を完全に閉止させなくても開閉弁１０３の軸により蓋１０５の溝を塞ぐことなく蓋１０５が外せるようになっており、そのため開閉弁１０３を完全に閉止せずに誤って蓋１０５を開けたとき水が噴き出してしまうといった問題があった。
【０００６】
本発明は、上記課題を解決するためになされたもので、本発明の目的は、万一開閉弁の下流で漏水事故が起こった場合でも即座に開閉弁を閉止することができ、また開閉弁が開成しているときにはフィルタの蓋を外されないように配慮した止水栓装置を提供することにある。
【０００７】
【課題を解決するための手段・作用および効果】
上記目的を達成するために、請求項１では、通路を開閉する開閉弁と、前記開閉弁を操作するレバーハンドルと、下流への塵の流れ込みを防止するフィルタとを備えた止水栓装置において、前記開閉弁が開成しているときは前記レバーハンドルのレバー部が水の流れる方向に向くようにした。
【０００８】
上記発明によれば、開閉弁の操作性向上のためにレバーハンドルを設けたことにより、万一開閉弁の下流で漏水事故が起こった場合でも即座に開閉弁を閉止することができるため、浸水被害を最小限に止めることができ、また、開閉弁が開成しているときはレバーハンドルのレバー部が水の流れる方向に向くようにしたことにより、フィルタ掃除等で蓋を外す際にレバー部が水の流れる方向に向いていれば開閉弁が開成していることをイメージ的に判断できるため、開閉弁を閉止してからフィルタの蓋を外すように仕向けることで誤って水が噴き出してしまうといったことを防止することができる。
【０００９】
請求項２では、通路を開閉する開閉弁と、前記開閉弁を操作するレバーハンドルと、下流への塵の流れ込みを防止するフィルタとを備えた止水栓装置において、前記開閉弁が開成しているときは前記レバーハンドルのレバー部と前記フィルタの蓋とが少なくとも一部は重なり合うようにした。
【００１０】
上記発明によれば、開閉弁の操作性向上のためにレバーハンドルを設けたことにより、万一開閉弁の下流で漏水事故が起こった場合でも即座に開閉弁を閉止することができるため、浸水被害を最小限に止めることができ、また、開閉弁が開成しているときはレバーハンドルのレバー部とフィルタの蓋とが少なくとも一部は重なり合うようにしたことにより、フィルタ掃除等で蓋を外す際に開閉弁が開成しているときにはレバー部と蓋が重なり合っていれば工具で蓋を外すときレバー部が邪魔になるため、邪魔にならないように開閉弁を閉止してからフィルタの蓋を外すように仕向けることで誤って水が噴き出してしまうといったことを防止することができる。
【００１１】
【発明の実施の形態】
以下、本発明の実施の形態を図面に基づいて説明する。
【００１２】
図１は、本発明の実施例を示す止水栓装置の概略構成図である。
水は、本体１の下部から流入し、開閉弁３、フィルタ６を通って本体１の上部から流出する。開閉弁３とレバーハンドル２とはボルト４で締結され、フィルタ６は蓋５に圧入により装着され、蓋５は螺合により本体１に固定されている。
【００１３】
開閉弁３は、レバーハンドル２のレバー部を水の流れる方向（図１の上方向）に向けると開成し、水の流れる方向から時計廻りに約９０度回転させた方向（図１の右方向）に向けると閉止する。
【００１４】
開閉弁３とフィルタ６はできる限り接近させて、開閉弁３を開成した状態にしたときレバーハンドル２のレバー部とフィルタ６の蓋５とが少なくとも一部は重なり合うようにしてある。
【００１５】
フィルタ６を掃除などで取り外す場合には、蓋５を例えば蓋５に設けた溝にドライバーや専用工具を挿入して回転させて取り外す。
【００１６】
以上により、開閉弁３の操作性向上のためにレバーハンドル２を設けたことにより、万一開閉弁３の下流で漏水事故が起こった場合でも即座に開閉弁３を閉止することができるため、浸水被害を最小限に止めることができる。
【００１７】
また、開閉弁３が開成しているときはレバーハンドル２のレバー部が水の流れる方向に向くようにしたことにより、フィルタ６の掃除等で蓋５を外す際にレバー部が水の流れる方向に向いていれば開閉弁３が開成していることをイメージ的に判断できるため、開閉弁３を閉止してからフィルタ６の蓋５を外すように仕向けることで誤って水が噴き出してしまうといったことを防止することができる。
【００１８】
若しくは、開閉弁３が開成しているときはレバーハンドル２のレバー部とフィルタ６の蓋とが少なくとも一部は重なり合うようにしたことにより、フィルタ６の掃除等で蓋５を外す際に開閉弁３が開成しているときにはレバー部と蓋５が重なり合っていれば工具で蓋を外すときレバー部が邪魔になるため、邪魔にならないように開閉弁３を閉止してからフィルタ６の蓋５を外すように仕向けることで誤って水が噴き出してしまうといったことを防止することができる。
【００１９】
なお、上記した実施例では開閉弁３を本体１の下部、フィルタ６を本体１の上部に配置したが、水の流入、流出方向を実施例と同一とした場合、開閉弁３とフィルタ６を左右に並べて配置して、開閉弁３を開成しているときはレバーハンドル２のレバー部を上方向（水の流れる方向）若しくは左右どちらかに配置したフィルタ６の蓋５の方向に向くようにするなど、開閉弁３、フィルタ６の位置、方向や開閉弁３の開成時、閉止時のレバーハンドル２のレバー部の向きを限定するものではない。
【００２０】
また、上記した実施例では本体１に開閉弁３とフィルタ６を一体で配置したが、本体１を分割して各々開閉弁３とフィルタ６を配置してもよい。
【００２１】
また、上記した実施例では開閉弁３を開成した状態にしたときレバーハンドル２のレバー部とフィルタ６の蓋５とが少なくとも一部は重なり合うようにしたが、レバーハンドル２のレバー部がフィルタ６の蓋５の全体を覆うように重なり合うようにしてもよい。その場合には、開閉弁３の開成時には蓋５が完全に外せなくなり、水が噴き出してしまうといったことはなくなる。
【図面の簡単な説明】
【図１】本発明の実施例を示す止水栓装置の概略構成図
【図２】従来の止水栓装置を示す概略構成図
【符号の説明】
１、１０１…本体
２…レバーハンドル
３、１０３…開閉弁
４…ボルト
５、１０５…蓋
６、１０６…フィルタ
【図１】
2004003162.tif 000003
【図２】
2004003162.tif 000004